(57)【要約】      （修正有）【課題】苔の栽培に使用可能であり、水を循環させて使用することができ、且つ美観を備えた壁掛け式テラリウム装置を提供する。【解決手段】壁掛け式テラリウム装置１００は、金属筐体１０２を含み、金属筐体１０２はさらに第１収容区１２２、第２収容区１２４及び第３収容区１２６を含む。ウォーターポンプ１２６２が第１収容区１２２の水をミスト装置１２４１がある第２収容区１２４に送り、第２収容区１２４のミスト装置１２４１により水がミスト化され、且つミスト化された水が載置空間１０６中に噴霧されるが、載置空間１０６中にはさらに苔に被覆された複数の築山があるため、実際の山の風景における自然の雲と霧のような効果を呈する。壁掛けフレームの搭載部を金属筐体の背面の長形溝部に嵌合し、壁掛けフレームを壁に固定することで、壁掛け式テラリウム装置１００が壁に掛けられる。【選択図】図１
0003228262.tif 000002
【実用新案登録請求の範囲】
【請求項１】
苔に被覆された複数の築山を収容するのに使用される壁掛け式テラリウム装置であって、
金属筐体、多孔板、載置空間及び壁掛けフレームを含み、
前記金属筐体は中空構造であり、且つ内壁面と外壁面を有し、前記内壁面のうち底端内壁面は第１開口を有し、前記内壁面のうち頂端内壁面は第２開口を有し、前記内壁面のうち側部内壁面は第１貫通孔を有し、且つ前記外壁面のうち頂端外壁面は第３開口を有し、前記外壁面は少なくとも１つの長形溝部を有し、前記少なくとも１つの長形溝部は前記金属筐体の背面に位置しており、前記金属筐体内はさらに第１収容区、第２収容区及び第３収容区を含み、
前記第１収容区は水タンクであり且つ前記第１開口の下に位置しており、
前記第２収容区は第２貫通孔を有する内部筐体を有し、前記内部筐体は前記金属筐体の前記内壁面と接続されており、且つ台座と前記台座の上に置かれたミスト装置とを収容しおり、
前記ミスト装置は前記第１貫通孔及び前記第２貫通孔に挿通された噴霧管を有し、
前記第３収容区は、
一端が前記第一収容区と接続され、他端が前記第２収容区の内部筐体と接続された吸込管と、
前記吸込管に接続され、前記第１収容区の水を抽出し、且つ前記吸込管を通じて前記第２収容区の前記内部筐体内に送るために使用されるウォーターポンプとを含み、
前記多孔板は前記第１開口の上方に設置され、
前記載置空間は前記内壁面及び前記多孔板により囲まれて成り、前記苔に被覆された複数の築山を展示するのに使用され、前記苔に被覆された複数の築山は前記多孔板の上に置かれ、前記第２収容区の水が前記ミスト装置に進入した時、前記ミスト装置が水をミスト化し、且つ前記ミスト化された水を前記噴霧管により前記載置空間中に噴霧し、
前記壁掛けフレームは壁に固定するためのねじが挿通される複数のねじを有しており、且つ前記少なくとも１つの長形溝部に嵌合される少なくとも１つの搭載部を有している、壁掛け式テラリウム装置。
【請求項２】
前記第２収容区の前記内部筐体はさらにオーバーフロー管を含み、前記オーバーフロー管は前記内部筐体に貫設され、前記内部筐体内の水の水面高度が前記オーバーフロー管上方の管口を覆った時、前記オーバーフロー管が前記オーバーフロー管上方の管口を覆っている水を前記第３収容区に排出する助けをする、請求項１に記載の壁掛け式テラリウム装置。
【請求項３】
前記金属筐体内はさらに第４収容区を含み、前記第４収容区は前記載置空間及び前記第２開口の上方に位置しており、且つ前記第４収容区は前記第３開口の下方に位置している、請求項１又は２に記載の壁掛け式テラリウム装置。
【請求項４】
前記金属筐体はさらに前記第３開口を覆う上部カバーを有している、請求項３に記載の壁掛け式テラリウム装置。
【請求項５】
前記金属筐体の前記外壁面のうち側部外壁面は前記第３収容区に近接する第４開口を有し、
前記金属筐体はさらに前記第４開口を覆う側面カバーを有している、請求項１〜４の何れか１項に記載の壁掛け式テラリウム装置。
【請求項６】
前記第４収容区にはさらにボックスライトが置かれる、請求項３又は４に記載の壁掛け式テラリウム装置。
【請求項７】
前記第４収容区はさらに加熱器を含み、前記加熱器には電熱線が外接されており、前記電熱線は前記第４収容区から前記載置空間中まで延在する、請求項３、４及び６の何れか一項に記載の壁掛け式テラリウム装置。
【請求項８】
前記金属筐体の材質はさらにステンレスである、請求項１〜７の何れか一項に記載の壁掛け式テラリウム装置。
【請求項９】
前記第４収容区はさらに温湿度制御装置を有し、前記温湿度制御装置は前記ミスト装置と連結され、前記温湿度制御装置はさらにプロセッサー及び前記プロセッサーと連結された無線伝送モジュールを含み、前記無線伝送モジュールが第１コマンドを受信した時、前記プロセッサーが前記ミスト装置に第２コマンドを送信して、水をミスト化する量か、又はミスト化された水を前記載置空間に噴霧する量を調整する、請求項３、４、６及び７の何れか一項に記載の壁掛け式テラリウム装置。
【請求項１０】
前記第４収容区にはさらに温湿度センサーが設置され、前記載置空間の温度と湿度を感知するのに使用される、請求項３、４、６、７及び９の何れか一項に記載の壁掛け式テラリウム装置。
【考案の詳細な説明】
【技術分野】
【０００１】
本考案は、壁掛け式テラリウム装置に係り、特に苔の栽培に使用可能な壁掛け式テラリウム装置に関するものである。
【背景技術】
【０００２】
４億年前頃の地球は、大気中の二酸化炭素濃度が非常に高かった。苔は、海から陸に最初に上がった先駆的な植物である。光合成が行われ始め、二酸化炭素が吸収され、大量の酸素が大気中に放出されて、地球の大気中の酸素含有量が現在の濃度に達したことにより、地球の陸地は生命を育む条件を備えるようになった。
【０００３】
しかし、苔の存在価値は近年になってようやく人々の間で重視されるようになった。苔は、空気中の様々な有毒ガスや重金属物質を吸着することができる。苔は主に葉身を通して呼吸しており、葉身は小さくて密度が高いため、吸収面積が非常に広く、空気中の一酸化炭素、二酸化硫黄、ホルムアルデヒドなどの有毒ガスを吸収することができる。苔は空気中の約７５％の微塵を除去することができ、粉塵を吸着できるだけでなく、粉塵中の硝酸アンモニウムを自身の養分に転化することもできる。そのため、苔は人の室内環境空間において最も保養となり、また最も自然な空気清浄機であると言える。しかし、苔の品種特性や関係する栽培技術については、未だに初期の研究試験段階にある。
【０００４】
現在、苔は既にＤＩＹ盆栽で利用されており、また室内や室外に置く観賞用植物として苔玉や苔壁を作ることも可能である。室内で苔の世話をする場合、ユーザーは手動で水をやったり、栽培環境の風通しを保ったりする必要がある。しかし、ユーザーの世話に不備があった場合には、苔に何らかの症状（例えば黄化、白化やカビが生えるなど）が出てしまう。ところが上述のＤＩＹ盆栽は、観賞的な性質しか備えておらず、苔の世話を補助する機能は備えていなかった。
【０００５】
要約すると、新しい発想の装置の提出が大いに必要とされており、必要な機能としては、苔の生長環境を一定に維持するとともに、人為的なミスで苔の生長環境が悪化しないよう防ぐことができ、且つＤＩＹ盆栽と同じ様に観賞価値も具備していることが求められる。
【考案の概要】
【考案が解決しようとする課題】
【０００６】
上述の課題に鑑み、本考案は、苔の栽培に使用可能であり、水を循環させて使用することができ、且つ美観を備えた壁掛け式テラリウム装置を提供することを目的としている。
【課題を解決するための手段】
【０００７】
本考案の第１の観点において、本考案の壁掛け式テラリウム装置は、金属筐体、多孔板、載置空間及び壁掛けフレームを含むことができる。上述の金属筐体は中空構造であり、且つ内壁面と外壁面を有し、前記内壁面のうち底端内壁面は第１開口を有し、前記内壁面のうち頂端内壁面は第２開口を有し、前記内壁面のうち側部内壁面は第１貫通孔を有し、且つ外壁面のうち頂端外壁面は第３開口を有し、前記外壁面は少なくとも１つの長形溝部を有し、そのうち上述の長形溝部は上述の金属筐体の背面に位置しており、上述の金属筐体内にはさらに第１収容区、第２収容区及び第３収容区が含まれている。上述の第１収容区は水タンクであり、且つ上述の第１開口の下に位置しており、上述の第２収容区内部にはさらにミスト装置、台座が含まれており、第３収容区内部にはさらに吸込管、ウォーターポンプが含まれている。上述のミスト装置は噴霧管を有しており、上述の噴霧管は上述の第１貫通孔に挿通される。上述の台座は土台であり、上述のミスト装置は上述の台座の上に置かれる。またさらに、上述の第２収容区及び第３収容区は上述の台座によって隔てられている。ある種の実施例においては、上述の第２収容区はさらに内部筐体を有しており、上述の内部筐体はさらに金属筐体の内壁面と接続されており、中空構造であって、ミスト装置及び台座を収容するために使用される。
【０００８】
また、上述の内部筐体はさらに第２貫通孔を有し、且つ中空構造であって、ミスト装置及び台座を収容するために使用されるため、上述のミスト装置の噴霧管はさらに上述の第２貫通孔にも挿通される。上述の吸込管の一端は第１収容区に接続され、他端は上述の第２収容区の内部筐体に接続される。上述のウォーターポンプは上述の第２収容区の下方に位置しており、且つ上述の吸込管が接続されており、上述のウォーターポンプの機能は、上述の第１収容区の水を抽出し、且つ上述の吸込管を通じて上述の第２収容区の内部筐体内に送るために使用される。
【０００９】
１つの実施例において、本考案の壁掛け式テラリウム装置が備える多孔板は、苔に被覆された複数の築山を置くために使用される。ある種の実施例において、上述の載置空間は、上述の金属筐体の内壁面及び上述の多孔板で囲まれて成っており、上述の苔に被覆された複数の築山を展示するのに用いられ、上述の苔に被覆された複数の築山は上述の多孔板の上に置かれるが、そのうち、上述の第２収容区の内部筐体の水が上述のミスト装置に進入した時、ミスト装置が水をミスト化し、且つミスト化した水を噴霧管により上述の載置空間中に噴霧する。さらに、上述のミスト化された水が凝縮して再び水になり、且つ上述の築山に沿って上述の多孔板まで下に流れた時、上述の水滴が上述の多孔板を通り抜けて上述の第１収容区に進入する。上述から理解できるように、本装置内の液体（水など）は本装置により循環させて使用することができる。
換言すると、ウォーターポンプが水タンクの水をミスト装置がある第２収容区に送り、第２収容区のミスト装置により水がミスト化され、且つミスト化された水が載置空間中に噴霧されるが、載置空間中にはさらに苔に被覆された複数の築山があるため、実際の山の風景における自然の雲と霧のような効果を呈することができ、優れた美観を得ることができる。また、ミスト化された水は載置空間中の湿度を一定に保たせて、苔が十分な水分を吸収して自然に生長できるようにし、吸収されなかった残りの水分は下方向に水タンクまで流れることができる。１つの実施例において、上述の金属筐体の材質はさらにステンレスである。
また、上述の載置空間は、上述の頂端内壁面の第２開口及び上述の頂端内壁面の第３開口を通して外部と連通可能である。すなわち、本考案の壁掛け式テラリウム装置の載置空間は密閉空間ではなく、それはつまり載置空間が外部環境と空気の流通を保つことができ、且つ苔を外部環境の空気を浄化するための助けとして用い得ることを意味している。また、載置空間が外部環境と空気の流通を保つことができるため、苔の生長環境が過度に湿気を帯びてカビが発生する懸念を解消することもできる。
【００１０】
上述の壁掛けフレームの使用は、本考案の壁掛け式テラリウム装置を壁に掛けられるようにするためであり、上述の壁掛けフレームは複数のねじ挿通穴を有しており、複数のねじ挿通穴に複数のねじを挿通して壁にねじ込むことで壁掛けフレームを壁に固定するのに使用され、また壁掛けフレームは少なくとも1つの搭載部を有しており、そのうち上述の搭載部は上述の金属筐体の長形溝部に嵌合される。
【００１１】
本考案の壁掛け式テラリウム装置の第２収容区の内部筐体は、さらにオーバーフロー管を含むのが好ましく、上述のオーバーフロー管は内部筐体に貫設され、内部筐体内の水の水面高度がオーバーフロー管上方の管口を覆った時、オーバーフロー管がオーバーフロー管上方の管口を覆っている水を第３収容区に排出する助けをする。これにより、第２収容区内に水の循環があるようにさせることでミスト装置の放熱を助けている。上述から理解できるように、本考案の壁掛け式テラリウム装置は、水を繰り返し利用可能な循環システムを提供することができる。
【００１２】
ある種の実施例において、本考案の壁掛け式テラリウム装置の金属筐体内はさらに第４収容区を含み、上述の第４収容区は上述の載置空間及び第２開口の上方に位置しており、且つ第４収容区は第３開口の下方に位置している。ある実施例において、上述の金属筐体はさらに前記第３開口を覆う上部カバーを有している。ある種の実施例において、上述の上部カバーの片側は上述の金属筐体の外壁面に接続されている。
【００１３】
ある種の実施例において、本考案の壁掛け式テラリウム装置の前記金属筐体の前記外壁面のうち側部外壁面は前記第３収容区に近接する第４開口を有し、前記金属筐体はさらに前記第４開口を覆う側面カバーを有している。ある種の実施例において、上述の側面カバーの片側は上述の金属筐体の外壁面に接続されている。
【００１４】
上述の載置空間の明るさを上げるため、上述の第４収容区にさらにボックスライトを設置するのが好ましく、そのうち上述のボックスライトに使用する電球はさらに発光ダイオードである。ある実施例において、上述の電球が発する光は、上述の第２開口を通り、且つ苔に被覆された複数の築山を照らす。上述の第４収容区にはさらに加熱器が設置され、前記加熱器には電熱線が外接されており、前記電熱線は前記第４収容区から前記載置空間中まで延在している。
【００１５】
前記第４収容区はさらに温湿度制御装置を有するのが好ましく、前記温湿度制御装置はミスト装置と連結され、温湿度制御装置はさらにプロセッサー及び前記プロセッサーと連結された無線伝送モジュールを含み、前記無線伝送モジュールが第１コマンドを受信した時、前記プロセッサーが前記ミスト装置に第２コマンドを送信して水をミスト化する量か、又はミスト化された水を前記載置空間に噴霧する量を調整する。
【００１６】
別の実施例において、上述の第４収容区にはさらに温湿度センサーが設置され、前記載置空間の温度と湿度を感知するのに使用される。
【００１７】
ある種の実施例において、上述の温湿度センサーは第２収容区中にさらに設置することができる。ある種の実施例において、上述の温湿度センサーは上述の金属筐体の内壁面に掛着することができ、且つ上述の温湿度センサーは上述の苔に被覆された複数の築山の上方に位置させる。
【図面の簡単な説明】
【００１８】
本考案の実施例を以下の図面中の例によって説明するが、本考案を限定するものではない。以下の図面中、部材符号が類似する部材は同様の部材である。
【図１】１つの実施例を用いて示した本考案の壁掛け式テラリウム装置の金属筐体及びその各部分の概略図である。
【図２ａ】別の実施例を用いて示した本考案の壁掛け式テラリウム装置の金属筐体である。
【図２ｂ】別の実施例を用いて示した本考案の壁掛け式テラリウム装置の金属筐体である。
【図３】別の実施例を基に示した本考案の壁掛け式テラリウム装置及びその壁掛けフレームの概略図である。
【図４】本考案の壁掛け式テラリウム装置の使用状態図である。
【考案を実施するための形態】
【００１９】
本考案の好ましい実施例及び観点について記載するが、本考案の構造を詳細に説明するそれらの記載は、本考案の実用新案登録請求の範囲を限定するものではなく、説明するものに過ぎない。本考案は、明細書中の好ましい実施例だけでなく、他の実施例においても広く実施することが可能である。
【実施例１】
【００２０】
本考案は壁掛け式テラリウム装置であって、図１の１つの実施例を用いて示した本考案の壁掛け式テラリウム装置１００及び図３が示す通り、本考案の壁掛け式テラリウム装置は、金属筐体１０２、多孔板１０４、載置空間１０６及び壁掛けフレーム３０２を含むことができる。上述の金属筐体１０２は中空構造であり、且つ内壁面１０８と外壁面１１０を有し、そのうち内壁面１０８は第１開口１１２、第２開口１１４及び第１貫通孔１１６を有し、且つ外壁面１１０は第３開口１１８、第４開口１２０及び少なくとも１つの長形溝部を有し、そのうち外壁面１１０は２つの長形溝部３０４ａ、３０４ｂを有し、且つ上述の金属筐体１０２の背面に位置しており、上述の金属筐体１０２内にはさらに第１収容区１２２、第２収容区１２４及び第３収容区１２６が含まれている。
内壁面１０８は、頂端内壁面１０８Ｕ、底端内壁面１０８Ｂ、左側内壁面１０８Ｌ（側部内壁面）及び右側内壁面１０８Ｒ（側部内壁面）を有している。底端内壁面１０８Ｂが第１開口１１２を有している。頂端内壁面１０８Ｕが第２開口１１４を有している。右側内壁面（側部内壁面）が第１貫通孔１１６を有している。外壁面１１０のうち頂端外壁面１１０Ｕが第３開口１１８を有している。
上述の第１収容区は水タンクであり、且つ上述の第１開口の下に位置しており、上述の第２収容区１２４にはさらにミスト装置１２４１、台座１２４２が含まれており、第３収容区１２６内部にはさらに吸込管１２６１、ウォーターポンプ１２６２が含まれている。上述のミスト装置は噴霧管１２４３を有しており、上述の噴霧管１２４３は上述の第１貫通孔１１６に挿通するために使用される。上述の台座１２４２は土台であり、上述のミスト装置１２４１は上述の台座１２４２の上に置かれる。上述の第２収容区１２４及び第３収容区１２６は後述する内部筐体１２４４によって隔てられている。上述の吸込管１２６１の一端は第１収容区１２２に接続され、他端は上述の第２収容区１２４に接続される。上述のウォーターポンプ１２６２は上述の第３収容区１２６に位置しており、且つ上述の吸込管１２６１が接続されており、上述のウォーターポンプ１２６２は、上述の第１収容区１２２の水を抽出し、且つ上述の吸込管１２６１を通じて上述の第２収容区１２４内に送るために使用される。ある種の実施例において、上述の第２収容区１２４はさらに内部筐体１２４４を有しており、上述の内部筐体はさらに金属筐体の内壁面と接続されており、中空構造であって、ミスト装置１２４１及び台座１２４２を収容するために使用される。
【００２１】
ある種の実施例において、上述の内部筐体１２４４はさらに第２貫通孔１２４５を有し、且つ中空構造であって、ミスト装置１２４１及び台座１２４２を収容するために使用されるため、上述の吸込管１２６１の一端は第１収容区１２２に接続され、他端はさらに上述の第２収容区１２４の内部筐体１２４４に接続される。１つの実施例において、上述のミスト装置１２４１の噴霧管１２４３は上述の第２貫通孔１２４５にも挿通される。
【００２２】
ある種の実施例において、上述の第１貫通孔１１６は上述の載置空間１０６と上述の第２収容区１２４との間の金属筐体の内壁面に位置しており、且つ上述の第１貫通孔１１６は上述の第２貫通孔１２４５と連通している。１つの実施例において、上述の第２収容区１２４の内部筐体１２４４は、さらにオーバーフロー管１２４６を含むのが好ましく、オーバーフロー管１２４６は内部筐体１２４４に貫設され、内部筐体１２４４内の水の液面高度がオーバーフロー管１２４６の上方の管口を覆った時、オーバーフロー管１２４６がオーバーフロー管１２４６の上方の管口を覆っている水を第３収容区１２６に排出する助けをする。これにより、第２収容区１２４内に水の循環があるようにさせることでミスト装置１２４１の放熱を助けている。上述から理解できるように、壁掛け式テラリウム装置１００は、水を繰り返し利用可能な循環システムを提供することができる。
【００２３】
ある実施例において、本考案の壁掛け式テラリウム装置の金属筐体はさらに第４開口１２０を開閉可能に覆う側面カバー１２８を有しており、且つ第４開口１２０はさらに第３収容区１２６に近接しており、上述の側面カバー１２８の形状は第４開口１２０の形状に対応している。ある種の実施例において、上述の側面カバー１２８の片側は上述の金属筐体１０２の外壁面１１０に接続されている。
【００２４】
ある種の実施例において、本考案の壁掛け式テラリウム装置の金属筐体内はさらに第４収容区１３０を有しており、上述の第４収容区１３０は上述の載置空間１０６及び第２開口１１４の上方に位置しており、且つ第４収容区１３０は第３開口１１８の下方に位置している。ある実施例において、上述の金属筐体はさらに第３開口１１８を開閉可能に覆う上部カバー１３２を有しており、且つ上述の上部カバー１３２の形状は、上部カバー１３２が第３開口１１８を覆うことができるように、第３開口１１８の形状に対応している。ある種の実施例において、上述の上部カバー１３２の片側は上述の金属筐体１０２の外壁面１１０に接続されている。上部カバー１３２に、第３開口１１８と外部とを連通する小さな開口が設けられてもよい。
【実施例２】
【００２５】
図２ａは別の実施例を用いて示した本考案の壁掛け式テラリウム装置２００の金属筐体２０２の平面図である。具体的には、図２ａは金属筐体２０２内に備えられた第４収容区２０４を平面視により示したものであり、上述の第４収容区２０４が第３開口２０６の下方にある実施例において、上述の金属筐体はさらに第３開口２０６を開閉可能に覆う上部カバー２０８を有しており、且つ上述の上部カバー２０８の形状は、上部カバー２０８が第３開口２０６を覆うことができるように、第３開口２０６の形状に対応している。ある種の実施例において、上述の上部カバーの片側は上述の金属筐体の外壁面に接続されている。上述の第４収容区２０４にはさらに様々な構成要素を設置することができ、図２ｂを参照して、例を挙げると、上述の第４収容区２０４中には少なくとも１つの構成要素２１０を含むことができ、上述の少なくとも１つの構成要素２１０は、ボックスライト、加熱器、冷却器、温湿度制御装置又はその他の構成要素でよい。
【００２６】
１つの実施例において、上述の少なくとも１つの構成要素２１０がボックスライトである場合、第４収容区のボックスライトの電球は上述の第２開口に向けられ、電球を点灯させると、電球が発する光が上述の第２開口を通り、且つ上述の苔に被覆された複数の築山を照らす。
【００２７】
ある種の実施例において、上述の少なくとも１つの構成要素２１０が加熱器である場合、上述の第４収容区がさらに加熱器を含み、加熱器には電熱線が外接されており、電熱線は第４収容区から載置空間中まで延在し、そのうち上述の電熱線の一部分は上述の第１貫通孔の下方に位置しているため、加熱器が起動し、且つ上述のミスト装置が水をミスト化し、さらにミスト化された水が噴霧管によって載置空間中に噴霧された時、ミスト化された水が電熱線による加熱を受け、気化されて上昇し、上述の載置空間内の上方に蓄積する。
【００２８】
１つの実施例において、上述の少なくとも１つの構成要素２１０が温湿度制御装置である場合、上述の温湿度制御装置はミスト装置と連結され、そのうち温湿度制御装置はさらにプロセッサー及びプロセッサーと連結された無線伝送モジュールを含み、無線伝送モジュールが第１コマンドを受信した時、プロセッサーがミスト装置に第２コマンドを送信して、水をミスト化する量か、又はミスト化された水を載置空間に噴霧する量を調整する。またさらに、上述の第１コマンドはハンドヘルド装置のアプリケーションが送信したものである。
【００２９】
ある種の実施例において、上述の少なくとも１つの構成要素２１０が温湿度センサーである場合、上述の温湿度センサーは載置空間の温度と湿度を感知するのに使用される。上述の温湿度制御装置は温湿度センサーにより検出された温度と湿度の検出値に基づいて載置空間の温度と湿度を制御する場合がある。
【００３０】
ある種の実施例において、上述の少なくとも１つの構成要素２１０が冷却器である場合、上述の冷却器はミスト化された水を固化するのに使用される。
【実施例３】
【００３１】
図３を参照して、図３は別の実施例を基に示した本考案の壁掛け式テラリウム装置３００及びその壁掛けフレーム３０２である。１つの実施例において、本考案の壁掛け式テラリウム装置３００は少なくとも１つの長形溝部を有し、そのうち上述の少なくとも１つの長形溝部は上述の金属筐体の背面に位置している。１つの実施例において、本考案の壁掛け式テラリウム装置は２つの長形溝部３０４ａ、３０４ｂを有し、そのうち長形溝部３０４ａは上述の金属筐体１０２の背面の上方に位置し、もう１つの長形溝部３０４ｂは上述の金属筐体１０２の背面の中央に位置している。
【００３２】
１つの実施例において、上述の壁掛けフレームは複数のねじ挿通穴３０６を有しており、複数のねじ挿通穴３０６に複数のねじを挿通して壁にねじ込むことで壁掛けフレーム３０２を壁に固定するのに使用され、上述の壁掛けフレーム３０２は、上部３０２１、下部３０２２、２つの接続部３０２３及び少なくとも１つの搭載部を有しており、そのうち上述の接続部３０２３の一端は上部３０２１と接続され、且つ他端は下部３０２２と接続されている。上述の少なくとも１つの搭載部は上述の少なくとも１つの長形溝部に嵌合するのに使用される。ある種の実施例において、上述の壁掛けフレームはさらに２つの搭載部３０２４ａ、３０２４ｂを有しており、そのうち搭載部３０２４ａは上述の壁掛けフレームの上部３０２１に位置し、もう１つの搭載部３０２４ｂは上述の壁掛けフレームの下部３０２２に位置しているため、本考案の壁掛け式テラリウム装置が２つの長形溝部３０４ａ、３０４ｂを有する場合、上述の搭載部３０２４ａは上述の金属筐体の背面の上方に位置する長形溝部３０４ａに嵌合するのに使用され、上述のもう１つの搭載部３０２４ｂは上述の金属筐体の背面の中央に位置する長形溝部３０４ｂに嵌合するのに使用される。
【００３３】
図４は本考案の壁掛け式テラリウム装置４００の使用状態図である。図４から、上述の苔に被覆された複数の築山Ｍは載置空間４０４に位置しており、且つ多孔板の上に置かれていることが分かる。１つの実施例において、上述の金属筐体４０２の内壁面はさらに頂端内壁面４０６、左側内壁面４０８（側部内壁面）、中央内壁面４１０及び右側内壁面４１２（側部内壁面）に分かれており、さらに上述の載置空間４０４は上述の頂端内壁面４０６、左側内壁面４０８、中央内壁面４１０、右側内壁面４１２及び多孔板４１４により囲まれて成っている。ある種の実施例において、上述のミスト装置は水をミスト化し、且つミスト化された水Ｃを噴霧管によって載置空間４０４中に噴霧するが、ミスト化された水Ｃは雲と霧のような効果を呈する。１つの実施例において、上述の載置空間中にはさらに背板が設置され、且つ上述の背板は上述の中央内壁面に密着させる。ある実施例において、上述の背板の表面はさらに単色（例えば青）を呈するか又は様々な色を組み合わせて成る風景画にすることができる。  
【００３４】
ある種の実施例において、上述の金属筐体の材質はさらにステンレスである。ある種の実施例において、上述の内部筐体の材質はさらにポリアセタールである。
【００３５】
上述は本考案の好ましい実施例である。当業者は、これらが本考案を説明するためのものであり、本考案が主張する実用新案登録請求の範囲を限定するものではないことを理解すべきである。本考案の保護範囲は、添付の実用新案登録請求の範囲及びその均等物によって定義される。当業者が本考案の精神又は範囲を逸脱せずに行う変更又は修飾は、いずれも本考案が開示した精神に基づいて完成された同等の効果が得られる改変又は設計に属し、後述の実用新案登録請求の範囲内に含まれるものとする。
【符号の説明】
【００３６】
１００  壁掛け式テラリウム装置
１０２  金属筐体
１０４  多孔板
１０６  載置空間
１０８  内壁面
１１０  外壁面
１１２  第１開口
１１４  第２開口
１１６  第１貫通孔
１１８  第３開口
１２０  第４開口
１２２  第１収容区
１２４  第２収容区
１２４１  ミスト装置
１２４２  台座
１２４３  噴霧管
１２４４  内部筐体
１２４５  第２貫通孔
１２４６  オーバーフロー管
１２６  第３収容区
１２６１  吸込管
１２６２  ウォーターポンプ
１２８  側面カバー
１３０  第４収容区
１３２  上部カバー
２００  壁掛け式テラリウム装置
２０２  金属筐体
２０４  第４収容区
２０６  第３開口
２０８  上部カバー
２１０  少なくとも１つの構成要素
３００  壁掛け式テラリウム装置
３０２  壁掛けフレーム
３０２１  上部
３０２２  下部
３０２３  接続部
３０２４ａ、３０２４ｂ  搭載部
３０４ａ、３０４ｂ  長形溝部
３０６  複数のねじ穴
４００  壁掛け式テラリウム装置
４０２  金属筐体
４０４  載置空間
４０６  頂端内壁面
４０８  左側内壁面（側部内壁面）
４１０  中央内壁面
４１２  右側内壁面（側部内壁面）
４１４  多孔板
Ｃ  ミスト化された水
Ｍ  苔に被覆された複数の築山
【図１】
0003228262.tif 000003
【図２ａ】
0003228262.tif 000004
【図２ｂ】
0003228262.tif 000005
【図３】
0003228262.tif 000006
【図４】
0003228262.tif 000007